(57)【要約】【課題】インストルメントパネルの小型化に対応した上で、収納空間を十分に確保できるグローブボックスを提供する。【解決手段】下に開放された収納空間１２を有する上部ボックス１０と、上に開放された収納空間２２を有する下部ボックス２０とによって構成された形式のグローブボックス１であって、上部ボックスと下部ボックスとは、互いの収納空間が突き合わされる閉じ位置と、互いの収納空間が開放される開放位置との間を回転でき、かつ、それぞれの回転が連動機構によって連動するように構成されている。この連動機構は、上部ボックスおよび下部ボックスのいずれかを回転操作することにより、上部ボックスと下部ボックスとを共に閉じ位置あるいは共に開放位置に回転させるように設定されている。【選択図】図４
2015048027.tif 000002
【特許請求の範囲】
【請求項１】
下に開放された収納空間を有する上部ボックスと、上に開放された収納空間を有する下部ボックスとによって構成された形式のグローブボックスであって、
上部ボックスと下部ボックスとは、互いの収納空間が突き合わされる閉じ位置と、互いの収納空間が開放される開放位置との間を回転でき、かつ、それぞれの回転が連動機構によって連動するように構成され、この連動機構は、上部ボックスおよび下部ボックスのいずれかを回転操作することにより、上部ボックスと下部ボックスとを共に閉じ位置あるいは共に開放位置に回転させるように設定されているグローブボックス。
【請求項２】
請求項１に記載のグローブボックスであって、
連動機構による上部ボックスと下部ボックスとの連動は、下部ボックスの閉じ位置から開放位置への回転の途中で解除され、その位置で上部ボックスの回転が停止されるように設定されているグローブボックス。
【発明の詳細な説明】
【技術分野】
【０００１】
本発明は、車両のインストルメントパネルに組付けられるグローブボックスに関する。
【背景技術】
【０００２】
特許文献１には、上に開放された収納空間を有するグローブボックスの構造が開示されている。このグローブボックスは、インストルメントパネルに収容された状態から下部を支点として車室側に回転操作することで、収納空間が開放された状態に開くことができる。
【０００３】
近年、着座者の足下スペースを十分に確保するために、インストルメントパネルのスペースを縮小する傾向にある。この結果、グローブボックスの組付けスペースも縮小され、必然的にグローブボックスの収納空間も制約される。
この対策として、インストルメントパネル内におけるグローブボックスの上部側にある既存の空間を、このグローブボックスの収納空間の一部として利用することが考えられる。
【先行技術文献】
【特許文献】
【０００４】
【特許文献１】特開２００７−２９０４５９号公報
【発明の概要】
【発明が解決しようとする課題】
【０００５】
上述した対策案の構成においては、つぎのような問題点がある。
収納物がインストルメントパネル内の空間に入り込む大きさである場合に、グローブボックスを開けようとしても途中で収納物がインストルメントパネル上部に干渉し、収納物を取り出せる状態にまでグローブボックスを開くことができない。この点を考慮すると、結局のところ、インストルメントパネル内の空間をグローブボックスの収納空間として活用するまでには至っていない。
【０００６】
本発明は、このような問題点を解決しようとするものであって、その目的は、インストルメントパネルの小型化に対応した上で、収納空間を十分に確保できるグローブボックスを提供することである。
【課題を解決するための手段】
【０００７】
本発明は、上記の目的を達成するためのもので、以下のように構成されている。
下に開放された収納空間を有する上部ボックスと、上に開放された収納空間を有する下部ボックスとによって構成された形式のグローブボックスであって、上部ボックスと下部ボックスとは、互いの収納空間が突き合わされる閉じ位置と、互いの収納空間が開放される開放位置との間を回転でき、かつ、それぞれの回転が連動機構によって連動するように構成されている。この連動機構は、上部ボックスおよび下部ボックスのいずれかを回転操作することにより、上部ボックスと下部ボックスとを共に閉じ位置あるいは共に開放位置に回転させるように設定されている。
【０００８】
さらに好ましくは、連動機構による上部ボックスと下部ボックスとの連動が、下部ボックスの閉じ位置から開放位置への回転の途中で解除され、その位置で上部ボックスの回転が停止されるように設定されていることである。
【発明の効果】
【０００９】
本発明においては、上部ボックスもしくは下部ボックスのいずれか一方を開閉操作すると、他方が連動して開閉されることから、収納物が上部ボックスの収納空間に入り込むような収納状態にある場合においても、これまでどおりの一操作によって、収納物と上部ボックスとの干渉を避けてグローブボックスを開くことができる。
すなわち本発明では、インストルメントパネルの上部側に上部ボックスを設け、その収納空間を利用した場合においても従来通りの開閉操作に不具合が生じることが無くグローブボックスが正常に作動するため、翻って、インストルメントパネルの上部側をグローブボックスの収納空間として利用することができる。これにより、本発明のグローブボックスにおいては、下部ボックスを小型にしてインストルメントパネルの小型化に対応した上で、上部ボックスと下部ボックスとにより収納空間を十分に確保することができる。
【００１０】
また、下部ボックスを途中まで開くと、上部ボックスの回転が停止されることから、上部ボックスが過度に開いてしまうことが無い。
【図面の簡単な説明】
【００１１】
【図１】第１の実施形態に係るグローブボックスが閉じた状態を表した側面図である。
【図２】第１の実施形態に係るグローブボックスが開いていく途中の状態を表した側面図である。
【図３】第１の実施形態に係るグローブボックスが開いていく途中の状態を表した側面図である。
【図４】第１の実施形態に係るグローブボックスが全開した状態を表した側面図である。
【図５】第２の実施形態に係るグローブボックスが閉じた状態を表した側面図である。
【図６】第２の実施形態に係るグローブボックスが開いた状態を表した側面図である。
【発明を実施するための形態】
【００１２】
以下、本発明を実施するための形態を、図面を用いて説明する。
まず、図１乃至４を用いて、本発明の第１の実施形態を説明する。
図１に示すように、グローブボックス１は上部ボックス１０と下部ボックス２０とによって構成されている。上部ボックス１０は、その内部に、下に開放された収納空間１２を備えている。下部ボックス２０は、その内部に、上に開放された収納空間２２を備えている。
グローブボックス１は、車両内における前座席の前方に設けられているインストルメントパネル（図示省略）に組付けられている。上部ボックス１０は、その前方側上部の回転軸１４を軸心として回転可能となるように、インストルメントパネルに対して組付けられている。下部ボックス２０は、その前方側下部の回転軸２４を軸心として回転可能となるように、インストルメントパネルに対して組付けられている。これにより、上部ボックス１０と下部ボックス２０とは、互いの収納空間１２，２２が付き合わされた閉じ位置（図１参照）と、互いの収納空間１２，２２が開放された開放位置（図４参照）との間を回転できる。
【００１３】
上部ボックス１０のアーム部１６には、該アーム部１６を厚み方向に貫通したレール１８が設けられている（図１参照）。レール１８は、直線レール１８ａと、直線レール１８ａに連続する湾曲レール１８ｂとによって構成されている。このレール１８に対して、下部ボックス２０に設けられたピン２６が摺動可能に嵌め込まれている。
直線レール１８ａは、下部ボックス２０の開閉に伴うピン２６の回転軌道Ｐ１よりも下方へ傾斜している（図１参照）。そのため、ピン２６が直線レール１８ａに位置するときに上部ボックス１０を回転させると、ピン２６と直線レール１８ａとのカム作用によって、下部ボックス２０が上部ボックス１０と反対方向に連動して回転する（図１乃至３参照）。同様に、ピン２６が直線レール１８ａに位置するときに下部ボックス２０を回転させると、上部ボックス１０が下部ボックス２０と反対方向に連動して回転する。
湾曲レール１８ｂの円弧形状は、ピンの回転軌道Ｐ１の円弧形状と一致している（図３乃至４参照）。そのため、ピン２６が湾曲レール１８ｂに位置するときは、ピン２６と湾曲レール１８ｂとの間にカム作用が働くことが無く、上部ボックス１０と下部ボックス２０とが連動しない（図３乃至４参照）。
なお、上部ボックス１０のレール１８と下部ボックス２０のピン２６とが本発明の「連動機構」に相当する。
【００１４】
つづいて、グローブボックス１の使用方法および作動を説明する。
グローブボックス１においては、図１に示すようにして、上部ボックス１０と下部ボックス２０とに連続した収納空間１２，２２に収納物Ｂを収納することができる。上部ボックス１０と下部ボックス２０とが閉じ位置にあるとき、両ボックス１０，２０はロック装置（図示省略）によって該閉じ位置にロックされている。このロックを解除することにより、グローブボックス１を開くことができる。
ピン２６が直線レール１８ａに位置する開き操作の初期段階においては（図１乃至３参照）、上部ボックス１０と下部ボックス２０とのいずれか一方を閉じ位置から開放位置側へ回転させることで、他方が開放位置側へ連動して回転する。ピン２６が湾曲レール１８ｂに移る図３の位置まで上部ボックス１０および下部ボックス２０を回転させると、上部ボックス１０の回転が停止され、下部ボックス２０のみが図４に示す開放位置まで収納物Ｂの自重によって開く。
閉じ操作においては、図４に示す開放位置から下部ボックス２０を閉じ位置側へ回転させると、ピン２６が湾曲レール１８ｂに位置する間（図３乃至４参照）は、下部ボックス２０のみが回転する。下部ボックス２０を更に閉じ位置側に回転させ、ピン２６が直線レール１８ａに移ると、下部ボックス２０と連動して上部ボックス１０が閉じ位置へと回転する（図１乃至３参照）。
【００１５】
このように、グローブボックス１においては、上部ボックス１０もしくは下部ボックス２０のいずれか一方を開閉操作すると、他方が連動して開閉されることから、収納物Ｂが上部ボックス１０の収納空間１２に入り込むような収納状態にある場合においても（図１参照）、これまでどおりの一操作によって、収納物Ｂと上部ボックス１０との干渉を避けてグローブボックス１を開くことができる。
すなわち、グローブボックス１においては、従来通りの開閉機能に不具合を生じさせること無く上部ボックス１０の収納空間１２を収納域として活用することができる。これにより、下部ボックス２０を小型にしてインストルメントパネルの小型化に対応した上で、上部ボックス１０の収納空間１２と下部ボックス２０の収納空間２２とにより収納空間を十分に確保できる。
また、グローブボックス１においては、下部ボックス２０を途中まで開くと、上部ボックス１０の回転が停止されることから、上部ボックス１０が過度に開いてしまうことが無い。
【００１６】
つづいて、図５乃至６を主に用いて、本発明の第２の実施形態を説明する。
なお、図５乃至６において第１の実施形態と同一もしくは均等な構成・機能を有すると考えられる部分には、図１乃至４と同一の符号を付すことで、重複する説明は省略する。
図５に示すように、本実施形態においては、第１の実施形態におけるレール１８（図１参照）に代えて直線レール１９が上部ボックス１０に設けられ、この直線レール１９に対して下部ボックス２０のピン２６が摺動可能に嵌め込まれている。直線レール１９は、アーム部１６の後方側に設けられ、下部ボックス２０の開閉に伴う回転軌道Ｐ２よりも下方へ大きく傾斜している。
図５乃至６に示すように、上部ボックス１０と下部ボックス２０とは、ピン２６と直線レール１９とのカム作用によって常に連動して開閉される。そのため、本実施形態においては、上部ボックス１０の開閉操作のみによって、グローブボックス１を開閉することができる。
【００１７】
なお、上述した２つの実施形態においては、上部ボックス１０にレール１８もしくは直線レール１９が設けられ、下部ボックス２０にピン２６が設けられていた。しかし、上部ボックス１０にピン２６を設け、下部ボックス２０にレール１８もしくは直線レール１９を設ける構成としても良い。この場合、レール１８もしくは直線レール１９は、上述の実施形態と同様の機能を奏する形状に構成される。
【符号の説明】
【００１８】
１     グローブボックス
１０   上部ボックス
１２   収納空間
１８   レール
２０   下部ボックス
２２   収納空間
２６   ピン
【図１】
2015048027.tif 000003
【図２】
2015048027.tif 000004
【図３】
2015048027.tif 000005
【図４】
2015048027.tif 000006
【図５】
2015048027.tif 000007
【図６】
2015048027.tif 000008